(57)【要約】【課題】表示面を黒色調に表現できると共に、光透過による表示の輝度が低下することを抑制できる。【解決手段】表示装置１０では、光源３８の光がマスク用フィルム３０の窓部３６を通って加飾パネル１６側へ照射される。照射された光は、透明基板２８、バインダー２６、及び金属蒸着膜２４を透過して右旋性円偏光板２２に入射し、右旋性円偏光のみが右旋性円偏光板２２の表面２２Ａから出射する。これにより、右旋性円偏光板２２の表面２２Ａには、窓部３６の形状が光透過によって表示される。一方、右旋性円偏光板２２の表面２２Ａに自然光が入射すると、この自然光に含まれる右旋性円偏光のみが右旋性円偏光板２２を透過して金属蒸着膜２４により反射される。この反射光は旋光方向が反転するため、右旋性円偏光板２２を透過することができなくなる。これにより、右旋性円偏光板２２の表面２２Ａが、黒色調（ピアノブラック調）の外観を呈する。【選択図】図３
2011017853.tif 000002
【特許請求の範囲】
【請求項１】
右旋性円偏光及び左旋性円偏光の何れか一方が透過可能で他方が透過不能な円偏光板と、
前記円偏光板の裏面に形成され、入射した光の一部を反射して残りを透過させる金属膜と、
前記金属膜を介して前記円偏光板とは反対側に設けられ、前記金属膜に対向した表示部から前記一方を含む光を照射する表示器と、
を備えた表示装置。
【請求項２】
前記表示器は、光源と、前記光源と前記金属膜との間に配置された遮光部材とを備えた投光器であり、前記表示部は、前記遮光部材に設けられ、前記光源の光を前記金属膜側へ通す窓部であることを特徴とする請求項１に記載の表示装置。
【請求項３】
前記表示器は、電子計算機の出力を前記表示部に表示するディスプレイ装置であることを特徴とする請求項１に記載の表示装置。
【発明の詳細な説明】
【技術分野】
【０００１】
本発明は、表示装置に係り、特に円偏光板を用いた表示装置に関する。
【背景技術】
【０００２】
従来、円偏光板を用いたスイッチ装置が知られている（例えば、特許文献１参照）。このスイッチ装置では、ＥＬディスプレイの表示面に対向する透明な操作ボタンの裏面に円偏光板を貼着することで、見栄えのよさと表示像の高輝度化との両立を図るようにしている。
【先行技術文献】
【特許文献】
【０００３】
【特許文献１】特開２００２−２５３７３号公報
【発明の概要】
【発明が解決しようとする課題】
【０００４】
ところで、自動車の車室内に設けられるスイッチ表示部などには、黒色調（所謂ピアノブラック調）のパネルに、光透過によってマークを表示する構成のものがある。このようなパネルでは、ピアノブラック調の外観によってスイッチ表示部などのデザイン性を向上させることができる。しかしながら、このようなパネルは、透明フィルムの裏面に黒色のインクを重ね塗りしてピアノブラック調を表現するため、パネル全体の光の透過率が数％程度に下がってしまう。このため、光透過による表示の輝度が低下して表示の視認性が悪くなる。
【０００５】
本発明は上記事実を考慮し、表示面を黒色調に表現できると共に、光透過による表示の輝度が低下することを抑制できる表示装置を得ることを目的としている。
【課題を解決するための手段】
【０００６】
請求項１に記載の発明に係る表示装置は、右旋性円偏光及び左旋性円偏光の何れか一方が透過可能で他方が透過不能な円偏光板と、前記円偏光板の裏面に形成され、入射した光の一部を反射して残りを透過させる金属膜と、前記金属膜を介して前記円偏光板とは反対側に設けられ、前記金属膜に対向した表示部から前記一方を含む光を照射する表示器と、を備えたことを特徴としている。
【０００７】
請求項１に記載の表示装置では、円偏光板の裏面に金属膜が形成されており、この金属膜には表示器の表示部が対向している。この表示部からは、右旋性円偏光及び左旋性円偏光の何れか一方を含む光が照射される。照射された光は、金属膜によって一部が反射され、残りが金属膜を透過して円偏光板に入射する。円偏光板に入射した光のうち右旋性円偏光及び左旋性円偏光の何れか一方は、円偏光板を透過して円偏光板の表面側へ出射する。これにより、円偏光板の表面（表示面）に表示部の光が表示される。
【０００８】
一方、表示器の光が消えた状態では、円偏光板の表面側から円偏光板に入射する光（自然光）のうち、右旋性円偏光及び左旋性円偏光の何れか一方が、円偏光板を透過して金属膜に入射する。金属膜に入射した光の一部は金属膜を透過し、残りが金属膜によって反射される。この反射光は旋光方向が反転するため、円偏光板を透過することができなくなる。これにより、円偏光板の表面（表示面）が黒色調の外観を呈する。しかも、黒色のインク等を用いずに黒色調を表現することができるため、光透過による表示の輝度が低下することを抑制できる。
【０００９】
請求項２に記載の発明に係る表示装置は、請求項１に記載の表示装置において、前記表示器は、光源と、前記光源と前記金属膜との間に配置された遮光部材とを備えた投光器であり、前記表示部は、前記遮光部材に設けられ、前記光源の光を前記金属膜側へ通す窓部であることを特徴としている。
【００１０】
請求項２に記載の表示装置では、透光器の光源が発する光は、この光源と金属膜との間に配置された遮光部材の窓部を通って金属膜に照射される。金属膜に照射された光のうちの一部は、金属膜及び円偏光板を透過して円偏光板の表面側へ出射する。これにより、上記窓部の形状（例えば、文字、図形、記号など）を、円偏光板の表面（表示面）に表示することができる。
【００１１】
請求項３に記載の発明に係る表示装置は、請求項１に記載の表示装置において、前記表示器は、電子計算機の出力を前記表示部に表示するディスプレイ装置であることを特徴としている。
【００１２】
請求項３に記載の表示装置では、ディスプレイ装置の表示部から照射される光のうちの一部が、金属膜及び円偏光板を透過して円偏光板の表面側へ出射する。これにより、ディスプレイ装置の表示部に表示される電子計算機の出力を、円偏光板の表面（表示面）に表示することができる。
【発明の効果】
【００１３】
以上説明したように、本発明に係る表示装置では、表示面を黒色調に表現できると共に、光透過による表示の輝度が低下することを抑制できる。
【図面の簡単な説明】
【００１４】
【図１】本発明の実施形態に係る表示装置の概略的な正面図であり、スイッチマーク及びディスプレイ画面の表示状態の図である。
【図２】本発明の実施形態に係る表示装置の概略的な正面図であり、スイッチマーク及びディスプレイ画面の非表示状態の図である。
【図３】本発明の実施形態に係る表示装置の投光器を含む部分的な構成を示す概略的な縦断面図である。
【図４】本発明の実施形態に係る表示装置の液晶ディスプレイ装置を含む部分的な構成を示す概略的な縦断面図である。
【図５】表示器が点灯した状態を説明するための概念図である。
【図６】ディスプレイ装置が点灯した状態を説明するための概念図である。
【図７】金属蒸着膜による反射によって円偏光の旋光方向が反転された状態を説明するための概念図である。
【図８】従来の表示装置の部分的な構成を示す概略的な縦断面図である。
【図９】本発明の実施形態の変形例を示す概念図である。
【発明を実施するための形態】
【００１５】
以下、図１〜図９を参照して、本発明の実施形態に係る表示装置１０について説明する。
【００１６】
図１に示されるように、本第１実施形態に係る表示装置１０は、車両用空調装置のスイッチマーク１２、及びディスプレイ画面１４を光透過によって表示する表示装置であり、車室内の所定位置に取り付けられた加飾パネル１６を備えている。この加飾パネル１６の裏側には、スイッチマーク１２を表示するための投光器１８（図３参照）と、ディスプレイ画面１４を表示するための液晶ディスプレイ装置２０（図４参照）とが配置されている。
【００１７】
図３及び図４に示されるように、加飾パネル１６は、円偏光板としての右旋性円偏光板２２（右旋性円偏光フィルム）を有している。右旋性円偏光板２２は、右旋性円偏光のみを透過させ、それ以外の光（左旋性円偏光を含む）を遮る構成になっている。この右旋性円偏光板２２の表面２２Ａは、本表示装置１０の表示面とされている。
【００１８】
右旋性円偏光板２２の裏面には、金属膜としての金属蒸着膜２４が形成されている。金属蒸着膜２４は、右旋性円偏光板２２の裏面に金属が薄く蒸着されることで形成されたものであり、入射した光の一部を反射して残りを透過させる構成になっている。これにより、右旋性円偏光板２２と金属蒸着膜２４とによってハーフミラーが構成されている。
【００１９】
また、金属蒸着膜２４を介して右旋性円偏光板２２と反対側には、透明基板２８が配置されている。この透明基板２８は、透明な樹脂材料によって板状に形成されたものであり、右旋性円偏光板２２と比べて十分な剛性を備えている。この透明基板２８は、透明なバインダー２６を介して金属蒸着膜２４に貼り付けられており、これにより、右旋性円偏光板２２が透明基板２８によって支持（補強）されている。
【００２０】
なお、上記構成の加飾パネル１６は、例えば、右旋性円偏光板２２に蒸着された金属蒸着膜２４にバインダー２６を塗布してプレ成形し、フィルムインサート工法にて透明基板２８と一体成形することで形成される。
【００２１】
一方、図３に示される投光器１８は、遮光部材としてのマスク用フィルム３０を備えている。マスク用フィルム３０は、透明フィルム３２と、この透明フィルム３２の裏面に塗布された黒色のインク３４とによって構成されている。この黒色インク３４は、スイッチマーク１２の図柄が白黒反転されて印刷されたものであり、スイッチマーク１２の図柄の部分は、黒色インク３４が省略された窓部３６とされている。このマスク用フィルム３０では、黒色インク３４が塗布された部分が光を遮り、窓部３６が光を通す構成になっている。
【００２２】
また、投光器１８は、マスク用フィルム３０を介して加飾パネル１６とは反対側に配置された光源３８を備えている。この光源３８は、例えばマトリクス状に配置された複数のＬＥＤと、これらのＬＥＤの光を拡散する拡散フィルムとを備えており、マスク用フィルム３０の裏面全体へ向けて均一に光を照射する構成になっている。マスク用フィルム３０の裏面に照射された光は、マスク用フィルム３０の黒色インク３４によって大部分が遮られるが、窓部３６を通る一部の光が加飾パネル１６の裏面へ照射されるようになっている。なお、上述のＬＥＤは、右旋性円偏光及び左旋性円偏光の両方を含む光を照射する。
【００２３】
また、本実施形態では、加飾パネル１６がタッチパネルとして使用される構成になっており、右旋性円偏光板２２が表面側から指等で押圧されると、金属蒸着膜２４とバインダー２６との間、透明基板２８とマスク用フィルム３０との間、或いはマスク用フィルム３０と光源３８との間などに設けられた図示しない接点が接続されるようになっている。これにより、図示しない車両用空調装置の作動状態が切り替えられるようになっている。
【００２４】
一方、図４に示される液晶ディスプレイ装置２０は、図示しないバックライトを備えており、透明基板２８に対向した表示部（図示省略）から右旋性円偏光を発する構成になっている。この表示部には、図示しない電子計算機の出力が表示されるようになっている。
【００２５】
次に、本第１実施形態の作用及び効果について説明する。
【００２６】
上記構成の表示装置１０では、投光器１８の光源３８が点灯すると、光源３８の光がマスク用フィルム３０の窓部３６を通って加飾パネル１６側へ照射される。加飾パネル１６側へ照射された光は、透明基板２８及びバインダー２６を透過して金属蒸着膜２４に入射する。金属蒸着膜２４に入射した光の一部は、図５に示されるように、金属蒸着膜２４を透過して右旋性円偏光板２２に入射し、当該入射光に含まれる右旋性円偏光のみが右旋性円偏光板２２の表面２２Ａから出射する。これにより、右旋性円偏光板２２の表面２２Ａには、窓部３６の形状（すなわちスイッチマーク１２の形状）が光透過によって表示される（図１図示状態）。
【００２７】
また、液晶ディスプレイ装置２０の電源がＯＮにされると、液晶ディスプレイ装置２０のディスプレイ画面１４の光（ここでは右旋性円偏光）が加飾パネル１６側へ照射される。加飾パネル１６側へ照射された光は、透明基板２８及びバインダー２６を透過して金属蒸着膜２４に入射する。金属蒸着膜２４に入射した右旋性円偏光の一部は、図６に示されるように、金属蒸着膜２４及び右旋性円偏光板２２を透過して右旋性円偏光板２２の表面２２Ａから出射する。これにより、右旋性円偏光板２２の表面２２Ａには、液晶ディスプレイ装置２０のディスプレイ画面１４（電子計算機の出力）が光透過によって表示される（図１図示状態）。
【００２８】
一方、投光器１８の光源３８及び液晶ディスプレイ装置２０が消灯した状態では、図７に示されるように、右旋性円偏光板２２の表面２２Ａに入射する自然光のうち右旋性円偏光のみが右旋性円偏光板２２を透過して金属蒸着膜２４に入射する。金属蒸着膜２４に入射した右旋性円偏光の一部は金属蒸着膜２４を透過し、残りが金属蒸着膜２４によって反射される。この反射光は旋光方向が反転する（右旋性円偏光が左旋性円偏光になる）ため、右旋性円偏光板２２を透過することができなくなる。これにより、右旋性円偏光板２２の表示２２Ａが、黒色調（ピアノブラック調）の外観を呈する（図２参照）。
【００２９】
このように、本表示装置１０では、黒色インク等を用いずにピアノブラック調を表現することができるため、光透過による表示の輝度が低下することを抑制でき、スイッチマーク１２やディスプレイ画面１４の視認性を良好にすることができる。
【００３０】
すなわち、図８に示されるように、黒色インクを用いてピアノブラック調の表示面を表現する表示装置１００では、ピアノブラック調を表現するための黒色インク１０２が透明フィルム１０４の裏面に重ね塗りされており、その裏側に更にマスク用の黒色インク１０６が印刷されている。このような表示装置１００では、マスク用黒色インク１０６の透過部と非透過部との境界１０８を、透明フィルム１０４の表面１０４Ａ側から判別し難くするためには、ピアノブラック調用黒色インク１０２の厚さ寸法を厚くする必要がある。そのため、光源１１０から照射される光の透過率が数％程度にまで低下してしまうが、光源の輝度には限りがあるため、特に日中の車室内では光透過による表示の視認性が悪化する（なお、図８において１１２はバインダーであり、１１４は透明基板である）。
【００３１】
この点、本表示装置１０では、金属蒸着膜２４の厚さ寸法をコントロールすることにより、金属蒸着膜２４の反射率と透過率とを制御することができるため、マスク用フィルム３０の透過部と非透過部との境界（窓部３６の輪郭）が表面２２Ａ側から判別し難いように金属蒸着膜２４の反射率を増加させた場合でも、金属蒸着膜２４の透過率を十分に確保することができる。
【００３２】
これにより、液晶ディスプレイ装置２０の場合には、金属蒸着膜２４の透過率に応じた高輝度なディスプレイ画面表示を実現することができ、投光器１８の場合には、金属蒸着膜２４と右旋性円偏光板２２との透過率に応じた高輝度なスイッチマーク表示を実現することができる。
【００３３】
なお、上記実施形態に係る表示装置１０では、円偏光板として右旋性円偏光板２２が適用された構成にしたが、本発明はこれに限らず、右旋性円偏光板２２の代わりに、左旋性円偏光板を適用して構成してもよい（図９参照）。この場合でも、上記実施形態と同様の作用効果を奏する。但しこの場合、ディスプレイ装置としては、左旋性円偏光を発するものを採用する必要がある。
【００３４】
また、上記実施形態に係る表示装置１０は、投光器１８及び液晶ディスプレイ装置２０が表示器として適用された構成にしたが、本発明はこれに限らず、表示器の構成や数は適宜変更することができる。
【００３５】
その他、本発明は、その要旨を逸脱しない範囲で種々変更して実施できる。また、本発明の権利範囲が上記実施形態に限定されないことは言うまでもない。
【符号の説明】
【００３６】
１０      表示装置
１８      投光器（表示器）
２０      液晶ディスプレイ装置（表示器）
２２      右旋性円偏光板（円偏光板）
２４      金属蒸着膜（金属膜）
３０      マスク用フィルム（遮光部材）
３８      光源
【図３】
2011017853.tif 000003
【図４】
2011017853.tif 000004
【図５】
2011017853.tif 000005
【図６】
2011017853.tif 000006
【図７】
2011017853.tif 000007
【図９】
2011017853.tif 000008
【図１】
2011017853.tif 000009
【図２】
2011017853.tif 000010
【図８】
2011017853.tif 000011